(57)【要約】【課題】眼鏡装用者にとってより快適な眼鏡レンズを作製するための各種パラメーターを簡単に測定できる眼鏡レンズの装用状態パラメーター測定装置および眼鏡レンズの装用状態パラメーター測定方法を提供すること。【解決手段】装用状態パラメーター測定装置１０は、基台１１と、装用者の頭を配置させるための装用者配置部１２と、装用者配置部１２に取り付けられた２つの側方ミラー１３と、装用者１の前方に設けられた撮像部１４と、撮影された撮像画像を解析して各種パラメーターを計測する画像解析装置１５と、を備えている。側方ミラー１３は、平滑なミラー面１３３を有し、ミラー面１３３は、撮像用カメラ１４１の光軸Ｏに対して傾斜角度を変更可能となっている。傾斜角度は、装用者１の側方の装用状態を撮像用カメラ１４１で撮影可能な角度に適宜調整される。【選択図】図３
2011209530.tif 000002
【特許請求の範囲】
【請求項１】
眼鏡を作製するために必要な装用状態パラメーターを測定する、眼鏡レンズの装用状態パラメーター測定装置であって、
装用者の装用状態を映すミラー面を有する少なくとも一枚の鏡と、
前記装用者と前記装用者が映った前記ミラー面とを同時に撮影する撮像用カメラと、
前記撮像用カメラにより撮影された撮像画像データに基づいて前記装用状態パラメーターを計算する計算装置と、を備え、
前記鏡は、前記撮像用カメラの光軸を法線とする平面と前記ミラー面とのなす角度が３０°以上６０°以下となるように配置される
ことを特徴とする眼鏡レンズの装用状態パラメーター測定装置。
【請求項２】
請求項１に記載の眼鏡レンズの装用状態パラメーター測定装置において、
前記撮像用カメラの光軸を法線とする平面と前記鏡のミラー面とのなす角度が４５°である
ことを特徴とする眼鏡レンズの装用状態パラメーター測定装置。
【請求項３】
請求項１又は請求項２に記載の眼鏡レンズの装用状態パラメーター測定装置において、
前記鏡は、前記装用者の頭部を側方から見た装用状態を映す側方ミラーである
ことを特徴とする眼鏡レンズの装用状態パラメーター測定装置。
【請求項４】
請求項３に記載の眼鏡レンズの装用状態パラメーター測定装置において、
前記側方ミラーのミラー面に、前記装用状態パラメーターを測定する目安となる目盛が形成されている
ことを特徴とする眼鏡レンズの装用状態パラメーター測定装置。
【請求項５】
請求項１から請求項４のいずれかに記載の眼鏡レンズの装用状態パラメーター測定装置において、
前記鏡は、前記装用者の頭部を上方から見た装用状態を映す上方ミラーである
ことを特徴とする眼鏡レンズの装用状態パラメーター測定装置。
【請求項６】
請求項１から請求項５のいずれかに記載の眼鏡レンズの装用状態パラメーター測定装置を用いて、眼鏡を作製するために必要な装用状態パラメーターを測定する眼鏡レンズの装用状態パラメーター測定方法であって、
眼鏡フレームを装用した装用者及び前記撮像用カメラのうち少なくともいずれかの位置を移動させて、前記撮像用カメラの光軸と前記装用者の顔の向きとが平行になるように、前記装用者の前方に前記撮像用カメラを配置し、前記装用者の前方と異なる方向から見た前記装用者の装用状態を、前記ミラー面に映して前記撮像用カメラで撮影可能になるように、前記鏡を配置する配置工程と、
前記装用者の前方から見た装用状態と、前記鏡のミラー面に映された前記装用者の前方と異なる方向から見た前記装用者の装用状態とを、前記撮像用カメラを用いて同時に撮影する撮影工程と、
前記撮影により得られた撮像画像に基づいて前記装用状態パラメーターを計算する計算工程と、を備える
ことを特徴とする眼鏡レンズの装用状態パラメーター測定方法。
【請求項７】
請求項６に記載の眼鏡レンズの装用状態パラメーター測定方法において、
前記配置工程では、前記撮像用カメラを前記装用者の視軸外に配置する
ことを特徴とする眼鏡レンズの装用状態パラメーター測定方法。
【発明の詳細な説明】
【技術分野】
【０００１】
本発明は、眼鏡装用者に適した眼鏡レンズを作製するための各種パラメーターを測定する眼鏡レンズの装用状態パラメーター測定装置および眼鏡レンズの装用状態パラメーター測定方法に関する。
【背景技術】
【０００２】
眼鏡装用者に対して眼鏡調整を行う場合、眼鏡情報（検眼情報、眼鏡フレーム情報、眼鏡レンズ情報）を各個体（顔の形や大きさ、首の太さ、鼻、耳、眼の相対位置や形等）に適合させるための各種パラメーターを測定するフィッティングを実施している。
このような各種パラメーターを測定する方法は、これまでに種々提案されている（例えば、特許文献１参照）。
特許文献１では、眼鏡装用者を遠方視または近方視状態となる位置に設定し、眼鏡装用者の正面方向に設置された正面用撮像カメラと眼鏡装用者の側方方向に設置された側方用撮像カメラとで眼鏡装用者を撮影する。そして、装置制御用端末を用いて、撮影された撮像画像から各種パラメーターを計測および演算している。
【先行技術文献】
【特許文献】
【０００３】
【特許文献１】特開２００７−３９２３号公報
【発明の概要】
【発明が解決しようとする課題】
【０００４】
しかしながら、特許文献１では、眼鏡装用者の顎を顎受け台に載せ、額を額当て部に当てた状態、すなわち顔を固定した状態で測定を行っている。人は物を見る際、側方あるいは上下方を見るために頭を回転させたり目を回転させたり姿勢を変えたりする（以降、視覚動作という）。顔が固定された状態であると、自然な視覚動作を行うことができないため、眼鏡装用者の日常生活における自然な状態での測定ができない。したがって、眼鏡装用者にとって快適な眼鏡レンズを設計することが難しい。
また、特許文献１では、正面用撮像カメラと側方用撮像カメラの２つのカメラを使用しているため、２度のキャリブレーションを行わなくてはならず、手間がかかるといった問題もある。
【０００５】
本発明の目的は、眼鏡装用者にとってより快適な眼鏡レンズを作製するための各種パラメーターを簡単に測定できる眼鏡レンズの装用状態パラメーター測定装置および眼鏡レンズの装用状態パラメーター測定方法を提供することである。
【課題を解決するための手段】
【０００６】
本発明の眼鏡レンズの装用状態パラメーター測定装置は、眼鏡を作製するために必要な装用状態パラメーターを測定する、眼鏡レンズの装用状態パラメーター測定装置であって、装用者の装用状態を映すミラー面を有する少なくとも一枚の鏡と、前記装用者と前記装用者が映った前記ミラー面とを同時に撮影する撮像用カメラと、前記撮像用カメラにより撮影された撮像画像データに基づいて前記装用状態パラメーターを計算する計算装置と、を備え、前記鏡は、前記撮像用カメラの光軸を法線とする平面と前記ミラー面とのなす角度が３０°以上６０°以下となるように配置されることを特徴とする。
【０００７】
この発明では、撮像用カメラを配置した方向から見た装用者の装用状態と、鏡のミラー面に映った、撮像用カメラを配置した方向とは異なる方向から見た装用者の装用状態を、１台の撮像用カメラで同時に撮影することができる。したがって、各方向の装用状態を別々の撮像用カメラで撮影した場合に必要なキャリブレーション等の処理を簡略化することができる。また、時間や手間を省くことができるため、お客様に苦痛を与えることなく各種パラメーターを簡単に測定することができる。
【０００８】
本発明の眼鏡レンズの装用状態パラメーター測定装置において、前記撮像用カメラの光軸を法線とする平面と前記鏡のミラー面とのなす角度が４５°であることが好ましい。
【０００９】
この発明では、撮像用カメラの光軸を法線とする平面と鏡のミラー面とのなす角度が４５°であるため、撮像用カメラの光軸と直交する方向から見た装用者の装用状態を撮影することができる。
【００１０】
本発明の眼鏡レンズの装用状態パラメーター測定装置において、前記鏡は、前記装用者の頭部を側方から見た装用状態を映す側方ミラーであることが好ましい。
【００１１】
この発明では、側方ミラーに装用者の頭部を側方から見た装用状態を映すことで、装用者の正面から見た装用状態と、装用者の頭部を側方から見た装用状態とを、撮像用カメラにより同時に撮影することができる。さらに、撮影された画像に基づいて、装用者の正面から見た装用状態に関する装用状態パラメーターと、装用者の頭部を側方から見た装用状態に関する装用状態パラメーターを計算装置により計算することができる。
なお、側方ミラーは装用者の両側に設けられてもよいし、いずれか一方に設けられてもよい。また、装用者が首を傾ける場合は、装用者の頭部を側方から見た装用状態を装用者の正面方向から撮影可能にできるよう、首の傾きに合わせ鏡を移動または撮像用カメラの光軸に対し回転させてもよい。
【００１２】
本発明の眼鏡レンズの装用状態パラメーター測定装置において、前記側方ミラーのミラー面に、前記装用状態パラメーターを測定する目安となる目盛が形成されていることが好ましい。
【００１３】
この発明では、測定したいパラメーターの種類に基づく目盛がミラー面に形成されている。これによれば、ミラー面に装用者の側方の装用状態が映されていれば、ミラー面に映された装用者と目盛とを比較することによってパラメーターを測定することができる。したがって、画像に基づいたパラメーター計算等を行う必要がないため、より簡単かつ迅速に測定結果を得ることができる。
【００１４】
本発明の眼鏡レンズの装用状態パラメーター測定装置において、前記鏡は、前記装用者の頭部を上方から見た装用状態を映す上方ミラーであることが好ましい。
【００１５】
この発明では、上方ミラーに装用者の頭部を上方から見た装用状態を映すことで、装用者の正面から見た装用状態と、装用者の頭部を上方から見た装用状態とを、撮像用カメラにより同時に撮影することができる。さらに、撮影された画像に基づいて、装用者の正面から見た装用状態に関する装用状態パラメーターと、装用者の頭部を上方から見た装用状態に関する装用状態パラメーターを計算装置により計算することができる。
なお、側方ミラーを備えている場合は、装用者の正面から見た装用状態と、装用者の頭部を上方から見た装用状態と、装用者の頭部を側方から見た装用状態とを、撮像用カメラにより同時に撮影することができ、撮影された画像から装用者の正面から見た装用状態に関する装用状態パラメーターと、装用者の頭部を上方から見た装用状態に関する装用状態パラメーターと、装用者の頭部を側方から見た装用状態に関する装用状態パラメーターとを計算することができる。また、装用者が首を傾ける場合は、装用者の頭部を上方から見た装用状態を装用者の正面方向から撮影可能にできるよう、首の傾きに合わせ鏡を移動または撮像用カメラの光軸に対し回転させてもよい。
【００１６】
本発明の眼鏡レンズの装用状態パラメーター測定方法は、前述の眼鏡レンズの装用状態パラメーター測定装置を用いて、眼鏡を作製するために必要な装用状態パラメーターを測定する眼鏡レンズの装用状態パラメーター測定方法であって、眼鏡フレームを装用した装用者及び前記撮像用カメラのうち少なくともいずれかの位置を移動させて、前記撮像用カメラの光軸と前記装用者の顔の向きとが平行になるように、前記装用者の前方に前記撮像用カメラを配置し、前記装用者の前方と異なる方向から見た前記装用者の装用状態を、前記ミラー面に映して前記撮像用カメラで撮影可能になるように、前記鏡を配置する配置工程と、前記装用者の前方から見た装用状態と、前記鏡のミラー面に映された前記装用者の前方と異なる方向から見た前記装用者の装用状態とを、前記撮像用カメラを用いて同時に撮影する撮影工程と、前記撮影により得られた撮像画像に基づいて前記装用状態パラメーターを計算する計算工程と、を備えることを特徴とする。
【００１７】
装用状態パラメーター測定装置は、上述したように、鏡によって装用者の前方と異なる方向から見た装用者の眼鏡の装用状態が映される。また、鏡は、この装用者の前方と異なる方向から見た装用状態を、装用者の正面方向から撮影できるように傾斜しているため、装用者の正面の装用状態と正面と異なる方向から見た装用状態とを、装用者の正面方向に配置された撮像用カメラにより同時に撮影することができる。このような装用状態パラメーター測定装置を用いることにより、１つの撮像用カメラで、２方向以上の装用状態を同時に撮影できるため、各方向の装用状態を別々のカメラで撮影した場合に必要なキャリブレーション等の処理を省略することができる。また、時間や手間を省くことができるため、お客様に苦痛を与えることなく測定を実施することができる。
また、配置工程では、装用者の頭に外力が作用しない自然な状態で配置することができるため、装用者のより自然な遠方視および近方視の状態を撮影することができる。したがって、装用者の日常生活における視覚動作を含む高精度なパラメーターを測定することができる。このようにして得られたパラメーターに基づいて眼鏡を調整するため、装用者にとってより快適な眼鏡を提供することができる。
【００１８】
本発明の眼鏡レンズの装用状態パラメーター測定方法において、前記配置工程では、撮像用カメラを装用者の視軸外に配置することが好ましい。
【００１９】
装用者が遠方視する場合は、撮像用カメラの後方を見ることになるため、視線上に撮像用カメラがあると自然な状態で遠方視をすることができない。この発明では、撮像用カメラは、装用者の視軸外に配置されるため、装用者の視線上に撮像用カメラは存在しない。このため、装用者がより自然な状態で測定を行うことができ、装用者にとってより快適な眼鏡レンズを提供することができる。
また、撮像用カメラを視軸上に配置しても、視軸外に配置しても、撮影された画像の角度や縮尺は変わらないため、パラメーターの計算には影響を及ぼさない。
【図面の簡単な説明】
【００２０】
【図１】本発明の第１実施形態で撮像する正面画像データから測定可能なパラメーターを示す図。
【図２】本発明の第１実施形態で撮像する側方画像データから測定可能なパラメーターを示す図。
【図３】本発明の第１実施形態にかかる装用状態パラメーター測定装置を示す側方断面図。
【図４】前記第１実施形態にかかる装用状態パラメーター測定装置に装用者の頭を配置した状態を示す側面図。
【図５】図３のＶ−Ｖ断面図。
【図６】前記第１実施形態にかかる装用状態パラメーター測定装置によって装用状態パラメーターを測定する手順を示すフローチャート。
【図７】前記第１実施形態にかかる装用状態パラメーター測定装置によって撮影された撮像画像を示す図。
【図８】本発明の第２実施形態で撮像する上方画像データから測定可能なパラメーターを示す図。
【図９】本発明の第２実施形態にかかる装用状態パラメーター測定装置を示す側方断面図。
【図１０】前記第２実施形態にかかる装用状態パラメーター測定装置によって撮影された撮像画像を示す図。
【図１１】他の実施形態における側方ミラーを示す図。
【発明を実施するための形態】
【００２１】
以下、本発明の実施形態を図面に基づいて説明する。
本実施形態では、眼鏡装用者が、実際に使用する眼鏡フレームにダミーレンズを装着した眼鏡を装用した状態で、各種パラメーターを測定する。
【００２２】
〔第１実施形態〕
（１．パラメーター）
第１実施形態で測定可能なパラメーターを、図１および図２に基づいて説明する。
図１は、遠方視した状態の装用者１を正面から撮影した撮像画像である。この撮像画像から測定可能なパラメーターは、フィッティングポイント高さＨ、瞳孔間距離ＰＤ、右眼の単眼瞳孔距離ＲＤ、左眼の単眼瞳孔距離ＬＤ、玉型幅ＴＷ、レンズ間距離ＺＤ、フレームＰＤ（ＦＰＤ）、玉型高さＴＨである。
【００２３】
フィッティングポイント高さＨは、装用者１が遠方視したときの瞳孔中心から眼鏡レンズ３の下辺までの距離である。
瞳孔間距離ＰＤは、装用者１が遠方視したときの左右の瞳孔中心間距離である。
右眼の単眼瞳孔距離ＲＤは、装用者１が遠方視したときの右眼の瞳孔中心から眼鏡２のブリッジ２１の中心までの距離である。左眼の単眼瞳孔距離ＬＤは、装用者１が遠方視したときの左眼の瞳孔中心から眼鏡２のブリッジ２１の中心までの距離である。
玉型幅ＴＷは、眼鏡レンズ３の玉型の幅である。
レンズ間距離ＺＤは、左右の眼鏡レンズ３間の距離、すなわちブリッジ２１の幅である。
フレームＰＤ（ＦＰＤ）は、眼鏡レンズ３の玉型幅Ｗとレンズ間距離ＺＤを足した長さである。
玉型高さＴＨは、眼鏡レンズ３の玉型の高さである。
【００２４】
また、図１には、装用者１が近方視した際に視線が通る位置となる近用アイポイントＮＰが示されている。近用アイポイントＮＰは、装用者１が近方視した状態の装用者１を視線方向から撮影した撮像画像により求めることができるが、パラメーターの説明のために図１に示している。
近用アイポイントＮＰにより測定可能なパラメーターは、近方視時の右眼の単眼瞳孔距離ＮＲＤ、近方視時の左眼の単眼瞳孔距離ＮＬＤである。
近方視時の右眼の単眼瞳孔距離ＮＲＤは、装用者１が近方視したときの右眼の瞳孔中心から眼鏡２のブリッジ２１の中心までの距離である。近方視時の左眼の単眼瞳孔距離ＮＬＤは、装用者１が近方視したときの左眼の瞳孔中心から眼鏡２のブリッジ２１の中心までの距離である。
【００２５】
また、図２に示す装用者１の側方を撮影した撮像画像に基づいて測定可能なパラメーターは、装用時前傾角αと頂点間距離ＶＤである。
装用時前傾角αは、装用者１が遠方視したときの視軸を遠方視軸Ａとし、この遠方視軸Ａと眼鏡レンズ３の外面３１上で直交する直線を直線Ｌとしたとき、眼鏡レンズ３の外面３１（玉型）の遠方視軸Ａと直線Ｌとの交点における接線とがなす角度である。
頂点間距離ＶＤは、遠方視軸Ａ上における眼鏡レンズ３の内面３２から装用者１の眼球の角膜頂点までの距離である。
【００２６】
（２．装用状態パラメーター測定装置１０の構成）
装用状態パラメーター測定装置１０は、図３に示すように、平板状の基台１１と、基台１１に立設され、装用者の頭を配置させるための装用者配置部１２と、装用者配置部１２に取り付けられた鏡としての２つの側方ミラー１３と、装用者１の前方に設けられた撮像部１４と、撮影された撮像画像を解析して各種パラメーターを計算する計算装置としての画像解析装置１５と、を備えている。
【００２７】
装用者配置部１２は、図４に示すように、基台１１に立設された互いに平行な左支柱１２１と右支柱１２２と、左支柱１２１の先端と右支柱１２２の先端とを連結する上方ガイド１２３と、上方ガイド１２３に平行に設けられた下方ガイド１２４と、を有している。
左支柱１２１と右支柱１２２との距離は、装用者１の頭の幅が入る程度の長さである。
上方ガイド１２３および下方ガイド１２４は、左支柱１２１および右支柱１２２に対して直交して設けられた長尺状の部材である。上方ガイド１２３および下方ガイド１２４は、図５に示すように、その中央部が左支柱１２１および右支柱１２２より撮像部１４側に突出するように湾曲した形状に形成されている。また、上方ガイド１２３と下方ガイド１２４との距離は、装用者１の頭の高さが入る程度の距離である。
このように、左支柱１２１、右支柱１２２、上方ガイド１２３、および下方ガイド１２４により、四角形状の枠が形成される（図４参照）。装用者１は、四角形状の枠内に頭を配置する。上方ガイド１２３および下方ガイド１２４が湾曲しているため、装用者１は、この湾曲形状に沿って顔を前方に配置しやすい。
【００２８】
側方ミラー１３は、左側方ミラー１３１と右側方ミラー１３２で構成されている。左側方ミラー１３１および右側方ミラー１３２は左右対称に構成されてはいるが同一の構成であるので、側方ミラー１３として説明する。
側方ミラー１３は、平滑なミラー面１３３を有し、左支柱１２１または右支柱１２２に嵌合する円筒状の取付部材１３４と、取付部材１３４に一体形成された回動支持部１３５と、により左支柱１２１または右支柱１２２に取り付けられている。回動支持部１３５は、側方ミラー１３のミラー面１３３とは反対側の面に接続し、この接続位置を中心に側方ミラー１３を回動可能に支持する。これにより、ミラー面１３３は、撮像用カメラ１４１の光軸Ｏに対する傾斜角度を変更可能となっている。ミラー面１３３には、装用者１の側方の装用状態が映され、この側方の装用状態を、装用者１の正面方向から撮影できるような傾斜角度に設定される。傾斜角度は、装用者１の側方の装用状態を撮像用カメラ１４１で撮影可能な角度に適宜調整されるが、パラメーター計算を簡単かつ正確に行うためには、撮像用カメラ１４１の光軸Ｏを法線とする平面とミラー面１３３とのなす角度が４５°であることが最も好ましい。しかしながら、実際の測定では、自然な状態を測定するときに、多少の角度ズレが生じる可能性や、特殊な顔構造により、４５°で固定角度では測定ができない場合がある。これを補正するために、±１５°程度の稼動範囲を持たせることが実用的である。したがって、傾斜角度は、３０°以上６０°以下であることが好ましい。
なお、取付部材１３４の左支柱１２１または右支柱１２２に対する取付位置は、装用者１の眼の位置に応じて適宜調整することができる。
【００２９】
撮像部１４は、装用者１の正面方向に配置された撮像用カメラ１４１と、撮像用カメラ１４１を支持するカメラ用アーム１４２と支持部１４３と、カメラ用アーム１４２の動作を制御するジョイスティック１４５と、装用者１に光を照射する２つの光源１４６と、光源用アーム１４７と、載置台１４８と、を有している。
撮像用カメラ１４１は、撮影レンズを有するカメラであり、例えばデジタルカメラである。撮像用カメラ１４１は、撮影方向を前方上下方向に変更可能となっている。撮像用カメラ１４１は、図３に示すように、その光軸と装用者１が遠方視したときの視軸とが同じ高さとなる位置に配置されることが好ましいが、装用者１が遠方視する際は撮像用カメラ１４１の後方にある対象物を視認するため、視軸上に撮像用カメラ１４１があると自然な遠方視を行うことが難しい。したがって、実際には、撮像用カメラ１４１は、装用者１の視軸より上または下に配置され、装用者１の遠方視を邪魔しない位置に配置される。そして、撮像用カメラ１４１の撮影レンズが装用者１の眼を撮影するように撮影方向を変更させる。
【００３０】
カメラ用アーム１４２は、撮像用カメラ１４１と支持部１４３とを連結しており、可動アーム１４２１と固定アーム１４２２とを有している。可動アーム１４２１は、一方の端部に撮像用カメラ１４１が取り付けられ、他方の端部は固定アーム１４２２に対して上下に可動できる構成となっている。具体的には、可動アーム１４２１は円筒状に形成され、その内周に沿って固定アーム１４２２の一端が挿入されている。また、図示しないが、可動アーム１４２１は、ジョイスティック１４５に電気的に接続されており、ジョイスティック１４５の操作に応じて、可動アーム１４２１の内周側に挿入された固定アーム１４２２の端部を出し入れすることにより上下に可動する。固定アーム１４２２は、他方の端部が支持部１４３に取り付けられている。
【００３１】
支持部１４３は、載置台１４８に立設され、カメラ用アーム１４２および光源用アーム１４７を支持する。
ジョイスティック１４５は、可動アーム１４２１に電気的に接続され、可動アーム１４２１の動作を制御する。具体的には、ジョイスティック１４５を図３における左方向に動かすと、可動アーム１４２１は上方向に移動する。また、ジョイスティック１４５を図３における右方向に動かすと、可動アーム１４２１は下方向に移動する。
【００３２】
光源１４６は、図５に示すように、左光源１４６Ａと右光源１４６Ｂの一対で構成されている。左光源１４６Ａは、装用者１の左前方で撮像用カメラ１４１の後方に配置される。右光源１４６Ｂは、装用者１の右前方で撮像用カメラ１４１の後方に配置される。これらの２つの光源１４６は、光源用アーム１４７により支持部１４３に連結されることで支持されている。光源１４６は、装用者１に対して光を照射する。
【００３３】
画像解析装置１５は、撮像用カメラ１４１で撮影された撮像画像データを取り込み、撮像画像データに基づいて各種パラメーターを計測するものであり、眼鏡の各種パラメーターを測定するために通常使用されている画像解析ソフトを搭載したパソコン（パーソナルコンピューター）を用いることができる。すなわち、画像解析装置１５は、撮像画像データや各種情報を入力可能な入力部と、計測結果等を出力するディスプレイ等の出力部と、演算処理を行うＣＰＵ等の演算部と、各種データを記憶する記憶部と、により構成されている。画像解析ソフトは記憶部に記憶され、演算部が記憶部に記憶された画像解析ソフトにしたがって、各種パラメーターの計測を実行する。
【００３４】
（３．装用状態パラメーター測定装置１０による測定方法）
次に、装用状態パラメーター測定装置１０を用いて各種パラメーターを測定する方法を、図６のフローチャートに基づいて説明する。
まず、装用者１が眼鏡を装用しない状態の遠方視および近方視における瞳孔間距離を測定する（Ｓ１）。
具体的には、眼鏡フレームを装用しない状態で、一般的な瞳孔間距離測定器（ＰＤメーター）を用いて実測する。
【００３５】
次に、実際に装用するフレームにダミーレンズを装着した眼鏡を、装用者１にフィッティングしてもらう（Ｓ２）。
次に、測定装置１０の装用者配置部１２の側方ミラー１３に装用者１の眼が映る位置に装用者１を配置させ、装用者１に遠方視してもらう。遠方視する際には、撮像用カメラ１４１の後方に目標となる対象物を配置しておく。そして、ジョイスティック１４５を操作して撮像用カメラ１４１が装用者１の遠方視軸と交わらないように下方向に移動させ、撮像用カメラ１４１の撮影レンズを装用者１に向ける。ここで、側方ミラー１３に装用者１の側方の装用状態が映った状態となるように側方ミラー１３の位置や傾斜角度を調整した後、装用者１の顔（特に、眼の部分）と両側の側方ミラー１３とを撮像用カメラ１４１により同時に撮影する（Ｓ３）。
ここで、撮影された撮像画像を図７に示す。図７に示すように、装用者１の正面の装用状態と、側方ミラー１３に映った左右の装用状態と、が同時に表示される。
続けて、装用者１に近方視してもらい、ジョイスティック１４５を操作して装用者１の瞳孔が確認できる程度まで撮像用カメラ１４１を下方向に移動させ、装用者１の顔（特に、眼の部分）と両側の側方ミラー１３とを撮像用カメラ１４１により同時に撮影する（Ｓ４）。
【００３６】
次に、撮影された撮像画像データを画像解析装置１５の入力部から入力し、Ｓ１で計測した瞳孔間距離に基づいて、入力された撮像画像データの補正値を求める（Ｓ５）。
具体的には、以下の式（１）（２）（３）により補正係数を求める。
【００３７】
正面画像補正係数＝Ｓ３で得られた画像データの遠用瞳孔間距離（ＰＤ）÷Ｓ１で得られた実測値の遠用瞳孔間距離ＰＤ      ・・・（１）
ミラー補正係数＝（撮影距離＋正面画像瞳孔中心と側面ミラー中心までの距離）÷撮影距離      ・・・（２）
側面画像補正係数＝正面画像補正係数×ミラー補正係数      ・・・（３）
【００３８】
正面から見た装用状態に関する装用状態パラメーターは、画像から求めた距離の測定値に正面画像補正係数をかけることで求められる。また、側面ミラーを使って撮影された装用状態に関する装用状態パラメーターは、画像から求めた距離の測定値に側面画像補正係数をかけることで求められる。当然ながら、角度に関するパラメーターには、補正の必要はない。なお、ミラー補正係数は、カメラから装用者までの距離とカメラから鏡に映った装用者の像までの距離とによる光路差を補正するための係数の一例である。
さらに、画像解析装置１５により、補正された撮像画像データに基づいて、各種パラメーターを計測する（Ｓ６）。具体的には、上述の画像補正係数を用いて、画像計測データを補正する。
計測結果は、画像解析装置１５のディスプレイに表示される。
【００３９】
（４．第１実施形態の作用効果）
以上のような第１実施形態によれば、以下の作用効果を奏することができる。
装用状態パラメーター測定装置１０は、装用者１の両側に側方ミラー１３を備えているため、装用者１の側方の装用状態がミラー面１３３に映り、ミラー面１３３に映った側方の装用状態を正面方向から撮影することができる。すなわち、装用者１の正面の装用状態と、側方の装用状態と、を正面方向から１つの撮像用カメラ１４１により同時に撮影することができる。したがって、正面の装用状態と側方の装用状態とを別のカメラで別々に撮影する従来の方法ではキャリブレーション等により処理が煩雑であったのに対し、キャリブレーションを行う必要もなく、時間や手間をかけずに簡単に撮影および測定を実施することができる。
これによれば、装用者１であるお客様に対して時間や手間をかけさせることもないので、お客様に苦痛を与えることなく簡単且つ迅速な測定を行うことができる。
【００４０】
装用者配置部１２は、左支柱１２１、右支柱１２２、上方ガイド１２３、および下方ガイド１２４により四角形の枠を形成し、この枠に装用者１の頭を配置させる。装用者１は、頭や顔を固定されないので、装用者の頭に外力が作用しない自然な状態で遠方視または近方視することができる。したがって、装用者１の日常生活における視覚動作が眼鏡調整に反映された高精度なパラメーターを測定することができる。このようにして得られたパラメーターに基づいて調整された眼鏡は、装用者１にとって快適な眼鏡レンズを提供することができる。
また、装用者１が実際に装用するフレームを用いて各種パラメーターを測定するため、このパラメーターを用いることで個々人の装用状態を高精度に再現でき、装用者１に最適な眼鏡調整を行うことができる。
また、装用状態パラメーター測定装置１０は、各部材を簡単に組み立てることができる構成となっているため、安価で準備することができ経済性に優れている。
【００４１】
〔第２実施形態〕
第２実施形態では、眼鏡装用者が実際に使用する眼鏡フレームにダミーレンズを装着した眼鏡を装用した状態で、図１、図２および図８に示す各種パラメーターを測定する。
（１．パラメーター）
図１および図２については第１実施形態と同様であるので、図８に示す各種パラメーターについて説明する。
図８に示すように、装用者の上方の装用状態を撮影した撮像画像に基づいて測定可能なパラメーターは、フレームそり角βである。
フレームそり角βは、眼鏡２のブリッジ２１に沿った直線ＢＬと、眼鏡レンズ３の玉型の外面３１と玉型の垂直中心線ＶＬとの交点における接線ＴＬとがなす角度である。
【００４２】
（２．装用状態パラメーター測定装置２０の構成）
第２実施形態の装用状態パラメーター測定装置２０は、装用者１の上方に上方ミラー１８が設けられたこと以外は第１実施形態と同様の構成である。第１実施形態と同様の構成については説明を省略する。
上方ミラー１８は、図９に示すように、平滑なミラー面１８１を有し、装用者配置部１２の上方ガイド１２３に取り付けられた回動取付部材１８２により回動可能に支持されている。ミラー面１８１には、装用者１の上方の装用状態が映され、ミラー面１８１にこの映された上方の装用状態を、装用者１の正面方向から撮影できるような傾斜角度に設定される。撮像用カメラ１４１の光軸Ｏに対する傾斜角度は適宜調整することができるが、パラメーター計算を簡単かつ正確に行うためには、撮像用カメラ１４１の光軸Ｏを法線とする平面とミラー面１８１とのなす角度が４５°であることが最も好ましい。しかしながら、実際の測定では、自然な状態を測定するときに、多少の角度ズレが生じる可能性や、特殊な顔構造により、４５度で固定角度では測定ができない場合がある。これを補正するために、±１５°程度の稼動範囲を持たせることが実用的である。したがって、傾斜角度は、３０°以上６０°以下であることが好ましい。傾斜角度が上記範囲内であれば、装用者１の上方の装用状態を明確に撮影することができる。
【００４３】
（３．装用状態パラメーター測定装置２０による測定方法）
装用状態パラメーター測定装置２０を用いた各種パラメーターを測定する方法は第１実施形態と同様であるが、Ｓ３およびＳ４における操作および撮影された撮像画像が異なる。
すなわち、装用者１が実際に装用するフレームでフィッティングを行った（Ｓ２）後、測定装置２０の装用者配置部１２の側方ミラー１３に装用者１の側方の装用状態が映る位置に装用者１を配置させ、装用者１に遠方視してもらう。そして、ジョイスティック１４５を操作して撮像用カメラ１４１が装用者１の遠方視軸と交わらない位置に移動させ、撮像用カメラ１４１の撮影レンズを装用者１に向ける。ここで、側方ミラー１３に装用者１の側方の装用状態が映った状態となるように側方ミラー１３の傾斜角度を調整する。また、上方ミラー１８に装用者１の上方の装用状態が移った状態となるように上方ミラー１８の傾斜角度を調整する。そして、装用者１の顔（特に、眼の部分）と両側の側方ミラー１３と上方ミラー１８とを同時に撮影する（Ｓ３）。撮影された撮像画像を図１０に示す。図１０に示すように、装用者１の正面の装用状態と、側方ミラー１３に映った左右の装用状態と、上方ミラー１８に移った上方の装用状態と、が同時に表示される。
続けて、装用者１に近方視してもらい、ジョイスティック１４５を操作して装用者１の瞳孔が確認できる程度まで撮像用カメラ１４１を下方向に移動させ、装用者１の顔（特に、眼の部分）と両側の側方ミラー１３と上方ミラー１８とを同時に撮影する（Ｓ４）。
以降は、第１実施形態と同様の処理である。
【００４４】
（４．第２実施形態による作用効果）
このような第２実施形態によれば、第１実施形態の作用効果のほかに以下に示す作用効果を奏することができる。
装用状態パラメーター測定装置２０は、装用者１の上方に上方ミラー１８を備えているため、装用者１の上方の装用状態がミラー面１８１に映り、ミラー面１８１に映った上方の装用状態を正面方向から撮影することができる。すなわち、装用者１の正面の装用状態と、側方の装用状態と、上方の装用状態と、を正面方向から１つの撮像用カメラ１４１により同時に撮影することができる。
したがって、装用者の上方の装用状態のパラメーターを測定する場合は、より時間や手間をかけずに簡単に撮影および測定を実施することができる。
これによれば、装用者１であるお客様に対して時間や手間をかけさせることもないので、お客様に苦痛を与えることなく簡単且つ迅速な測定を行うことができる。
【００４５】
〔変形例〕
なお、本発明は上記実施形態に限定されるものではなく、本発明の目的および効果を達成できる範囲内での変形や改良が、本発明の内容に含まれるものであることはいうまでもない。
【００４６】
例えば、上述の実施形態で用いた側方ミラー１３のミラー面１３３に、パラメーターを測定する目安となる目盛を形成してもよい。
具体的には、図１１（Ａ）に示すように、例えば１ｍｍ間隔で設けられた複数の直線からなる直線目盛１３６がミラー面１３３に形成されている。この直線目盛１３６により、画像解析を行わなくても頂点間距離ＶＤを簡単に計測することができる。
また、図１１（Ｂ）に示すように、任意の点から鉛直方向に延びる直線に対して、例えば１０°間隔で設けられた複数の直線からなる角度目盛１３７がミラー面１３３に形成されている。この角度目盛１３７により、画像解析を行わなくても装用時前傾角αを簡単に計測することができる。
さらに、同様にして、上方ミラー１８のミラー面１８１にフレームそり角βを計測可能な角度目盛を設けてもよい。
【００４７】
また、上述の実施形態では、側方ミラー１３を装用者１の両側に設けたが、左右のいずれか一方に設けた構成でもよい。
【産業上の利用可能性】
【００４８】
本発明は、眼鏡店等で利用することができる。
【符号の説明】
【００４９】
１…装用者、２…眼鏡、３…眼鏡レンズ、１０…装用状態パラメーター測定装置、１２…装用者配置部、１２１…左支柱、１２２…右支柱、１２３…上方ガイド、１２４…下方ガイド、１３…側方ミラー、１４…撮像部、１４１…撮像用カメラ、１４２…カメラ用アーム、１４３…支持部、１４５…ジョイスティック、１４６…光源、１４７…光源用アーム、１５…画像解析装置、１８…上方ミラー。
【図１】
2011209530.tif 000003
【図２】
2011209530.tif 000004
【図３】
2011209530.tif 000005
【図４】
2011209530.tif 000006
【図５】
2011209530.tif 000007
【図６】
2011209530.tif 000008
【図７】
2011209530.tif 000009
【図８】
2011209530.tif 000010
【図９】
2011209530.tif 000011
【図１０】
2011209530.tif 000012
【図１１】
2011209530.tif 000013